(57)【要約】  着用者の眼の前に配置されることを意図され、前面及び後面を有する光学レンズであって、後面は、光学レンズを着用者の眼の前に配置する場合に、着用者の眼に最も近くにあることを意図される表面であり、光学レンズは、前面にミネラルガラス要素を有し、更に、要素が破損する場合にミネラルガラス要素の任意の破片が着用者の眼に到達することを防ぐよう構成される眼保護具を備え、前記眼保護具は、後面に配置されるポリマーウェハを備える、光学レンズ。
2021500607.tif 000002
【特許請求の範囲】
【請求項１】
着用者の眼の前に配置されることを意図され、前面及び後面を有する光学レンズであって、前記後面は、前記光学レンズを着用者の眼の前に配置する場合に、着用者の眼に最も近くにあることを意図される表面であり、前記光学レンズは、前記前面にミネラルガラス要素を有し、更に、前記要素が破損する場合に前記ミネラルガラス要素の任意の破片が前記着用者の眼に到達することを防ぐよう構成される眼保護具を備え、前記眼保護具は、少なくとも前記後面に配置されるポリマーウェハを備える、光学レンズ。
【請求項２】
前記ポリマーウェハはプラノウェハである、請求項１に記載の光学レンズ。
【請求項３】
前記ポリマーウェハは、１０μｍ以上、２ｍｍ以下の平均厚さを有する、請求項１又は２に記載の光学レンズ。
【請求項４】
前記ポリマーウェハは前面及び後面を有し、前記後面は前記光学レンズの前記後面に対応し、前記前面は前記ミネラルガラス要素に接着される、請求項１〜３のいずれか一項に記載の光学レンズ。
【請求項５】
前記ポリマーウェハは、熱可塑性又は熱硬化性材料等の透明材料、例えば、眼科用レンズに適した透明材料で作られる、請求項１〜４のいずれか一項に記載の光学レンズ。
【請求項６】
前記ポリマーウェハは、例えば、反射防止特性及び／又は光吸収機能、例えば、ブルーカット及び／又はＵＶ保護の反射機能を有し、及び／又は前記ポリマーウェハは特定の色を有する、請求項１〜５のいずれか一項に記載の光学レンズ。
【請求項７】
更に、前記光学レンズの前記前面に少なくとも配置される第２のポリマーウェハを備える、請求項１〜６のいずれか一項に記載の光学レンズ。
【請求項８】
前記ポリマーウェハは偏光機能を有する、請求項１〜７のいずれか一項に記載の光学レンズ。
【請求項９】
前記ポリマーウェハはフォトクロミック特性を有する、請求項１〜８のいずれか一項に記載の光学レンズ。
【請求項１０】
前記ポリマーウェハは、前記光学レンズの前記縁部を保護するために、前記光学レンズの前記縁部の上に延在する、請求項１〜９のいずれか一項に記載の光学レンズ。
【請求項１１】
前記ポリマーウェハ縁部は、眼鏡フレーム内に前記光学レンズを取り付けることを可能にするように適合されるベベルを備える、請求項１〜１０のいずれか一項に記載の光学レンズ。
【請求項１２】
前記ミネラルガラス要素は、エレクトロクロミックセル及び／又は液晶セル及び／又は導波路及び／又はホログラフィックミラー等の少なくとも１つの電気活性素子を備える、請求項１〜１１のいずれか一項に記載の光学レンズ。
【請求項１３】
前記ミネラルガラス要素は、鋼球落下試験が前記レンズに施される場合に少なくとも部分的に破損するように構成される、請求項１〜１２のいずれか一項に記載の光学レンズ。
【請求項１４】
前記ミネラルガラス要素は、例えば、着用者の処方に適合する屈折機能を有する、請求項１〜１３のいずれか一項に記載の光学レンズ。
【請求項１５】
眼鏡フレームに取り付けられる、請求項１〜１４のいずれか一項に記載の一対の光学レンズを備える光学機器。
【発明の詳細な説明】
【技術分野】
【０００１】
本発明は、着用者の眼の前に配置されることを意図され、前面及び後面を有する光学レンズに関し、後面は、光学レンズが着用者の眼の前に配置される場合に着用者の眼に対して最も近くにあることを意図される表面であり、眼鏡フレームに取り付けられるかかる光学レンズの対を備える光学機器に関する。
【背景技術】
【０００２】
眼鏡を製造する場合、材料の選択は、レンズの重量及び厚さ、及び衝撃に対するその耐性に影響するため、重要である。光学レンズに用いられる２つの主な種類の材料、ポリカーボネート等の有機材料及びＢＫ７等のミネラルガラスが存在する。
【０００３】
ポリカーボネート製光学レンズは優れた耐衝撃性を有している。しかし、全ての種類の光学レンズがポリカーボネートから作られているわけではない。例えば、幾つかのレンズ製造方法は、ポリカーボネート又はその他の有機材料が変質するような温度に達する必要がある可能性がある。光学レンズの寿命は短くなる可能性がある。従って、ミネラルガラスが時として唯一の利用可能な選択である。
【０００４】
しかし、十分な力との偶発的な衝突の場合、ミネラルガラスは破損する可能性がある。結果として、ミネラルガラスの破片は剥がれ、着用者の眼を傷付ける可能性がある。
【０００５】
従って、偶発的な衝突の場合に粉砕によって着用者の眼を傷付けないミネラルガラスを備える光学レンズに対するニーズが存在している。
【０００６】
本発明の１つの目的は、かかる工学レンズを提供することにある。
【発明の概要】
【課題を解決するための手段】
【０００７】
この目的を達成するために、発明は、着用者の眼の前に配置されることを意図され、前面及び後面を有する光学レンズであって、後面は、光学レンズを着用者の眼の前に配置する場合に、着用者の眼に最も近くにあることを意図される表面であり、光学レンズは、前面にミネラルガラス要素を有し、更に、要素が破損する場合にミネラルガラス要素の任意の破片が着用者の眼に到達することを防ぐよう構成される眼保護具を備え、前記眼保護具は、後面に配置されるポリマーウェハを備える、光学レンズを提案する。
【０００８】
有利に、発明による光学レンズは、ガラス片が剥離することを防ぐことができ、従って、ポリマーウェハのため、破損したガラス片が着用者の眼に到達しないよう保護する。
【０００９】
単体又は組み合わせて考慮することができる更なる実施形態によれば、
−ポリマーウェハはプラノウェハであり、及び／又は、
−ポリマーウェハは、平均厚さ１０μｍ以上、好ましくは５０μｍ以上、より好ましくは７５μｍ以上、更により好ましくは３００μｍ以上、及び最も好ましくは７００μｍ以上を有し、及び／又は、
−ポリマーウェハは、平均厚さ２ｍｍ以下、好ましくは１．５ｍｍ以下、より好ましくは１ｍｍ以下を有し、及び／又は、
−ポリマーウェハは前面及び後面を有し、後面は光学レンズの後面に対応し、及び／又はポリマーウェハの前面はミネラルガラス要素に接着され、及び／又は、
−ポリマーウェハは、熱可塑性又は熱硬化性材料等の透明材料、例えば、眼科用レンズに適した透明材料で作られ、及び／又は、
−ポリマーウェハは、傷防止機能、帯電防止機能、防汚機能、及び／又は防曇機能を有し、及び／又は、
−ポリマーウェハは、例えば、反射防止特性の反射機能を有し、及び／又は、
−ポリマーウェハは、例えば、ブルーカット及び／又はＵＶ保護の光吸収機能を有し、及び／又はポリマーウェハは特定の色を有し、及び／又は、
−ポリマーウェハは偏光機能を有し、及び／又は、
−ポリマーウェハはフォトクロミック特性を有し、及び／又は、
−ポリマーウェハは、光学レンズの縁部を保護するために、光学レンズの縁部の上に延在し、及び／又は、
−ポリマーウェハ縁部は、眼鏡フレーム内に光学レンズを取り付けることを可能にするように適合されるベベルを備え、及び／又は、
−光学レンズは、光学レンズの前面に少なくとも配置される第２のポリマーウェハを備え、及び／又は、
−ミネラルガラス要素は、エレクトロクロミックセル及び／又は液晶セル及び／又は導波路及び／又はホログラフィックミラー等の少なくとも電気活性素子を備え、及び／又は、
−ミネラルガラス要素は、鋼球落下試験がレンズに施される場合に少なくとも部分的に破損するように構成され、及び／又は、
−ミネラルガラス要素は、例えば、着用者の処方に適合する屈折機能を有する。
【００１０】
発明は、また、眼鏡フレームに取り付けられる発明による一対の光学レンズを備える光学機器にも関する。
【００１１】
発明の他の特徴及び利点は、添付の特許請求の範囲から、及び以下の図面を参照して制限なしに実施例として与えられる幾つかの実施形態の以下の説明からより明らかになるであろう。
【図面の簡単な説明】
【００１２】
【図１−４】図１〜４は、発明の実施形態による光学レンズの断面図である。
【図５】図５は、発明の一実施形態による光学機器を示す。
【００１３】
図面内の構成要素は簡略化及び明確化のために示されており、必ずしも正確な縮尺で描かれてはいない。例えば、図面内の構成要素のうちの幾つかの寸法は、本発明の実施形態の理解を向上させることに役立つよう、他の構成要素と比較して誇張されている可能性がある。特に他の指定がない限り、図面上で凹面として表されている構成要素の各表面は、また、凸面であってもよく、その逆も同様である。
【発明を実施するための形態】
【００１４】
本発明は、着用者の眼の前に配置されることを眼的とし、前面４及び後面６を有する光学レンズ２に関し、後面６は、光学レンズが配置される場合に着用者の眼に対して最も近くにあることを眼的とする表面である。
【００１５】
発明の枠組みにおいて、用語「光学レンズ」は、着用者の眼の前に配置されることを意図される任意の種類の公知の光学レンズを意味すると理解されるべきである。光学レンズとは、非矯正光学レンズ、又はプログレッシブ付加レンズ、単焦点レンズ、又は多焦点レンズ等の眼科用レンズとも呼ばれる矯正光学レンズを指してもよい。
【００１６】
眼科用レンズは、着用者の処方データに適合させてもよい屈折機能を有する。
【００１７】
用語「処方」は、例えば、眼の前に位置決めされるレンズによって着用者の視覚不良を矯正するために眼科医又は検眼医によって特定される、屈折力、乱視、プリズム偏向、及び関連する場合、付加の光学特性のセットを意味すると理解するべきである。
【００１８】
例えば、プログレッシブ付加レンズのための処方は、遠視点における屈折力及び乱視の値、及び必要に応じて付加値を備える。処方データは正視眼のためのデータを含んでいてもよい。
【００１９】
図１〜４に示すように、光学レンズ２は、前面４にケイ酸塩系ガラス要素等のミネラルガラス要素８を備えている。図において、ミネラルガラス要素は点付き面として表されている。
【００２０】
ミネラルガラス要素８は、前面１０及び後面１２を有している。光学レンズ２の前面４は、ミネラルガラス要素８の前面１０の少なくとも一部を備える。
【００２１】
ミネラルガラス要素８は受動導波路を備えていてもよい。導波路に結合される光は、全反射により導波路に沿って伝播する。導波路は、中空又は基板で充填される間隙を備える２つの対向する透明壁を備えている。２つの対向壁間の間隙の長さは、選択された波長の光が両方の対向壁で何回も反射することによって導波路を通って伝播してもよいように特定される。
【００２２】
ミネラルガラス要素８は、受動ホログラフィックミラーを備えていてもよい。ホログラフィックミラーは、ホログラフィプロセスを用いて記録されるものとして画成される。ミラーは、着用者による画像の視覚化を生じさせるように、画像ソースから生成される光線を反射するために用いられる。ホログラフィックミラーは、（従来のホログラム表示の場合のように）記録されたホログラフィック画像を再構築するために用いられない。記録により、ミラーは、画像ソースから生じる光線の波面を修正することに適用できる場合、前記ミラー上での反射時に可能な光学機能を付与される。これにより、ホログラフィックミラーを組み込んだ光学レンズが、着用者の眼に画像を生成する光線を修正することができるため、着用者の仮想視覚を補正することが可能である。
【００２３】
図２に示すように、ミネラルガラス要素８は１つ以上の電気活性素子１４を備えていてもよい。電気活性素子１４は、電気エネルギーの印加により少なくとも１つの変更可能な光学特性を有する素子である。
【００２４】
電気活性素子１４は、ミネラルガラス要素８の内部に埋め込まれてもよいか、又はミネラルガラス要素８から形成される。電気活性素子１４は、ミネラルガラス要素８の縁部、又はその前面１０若しくは後面１２に適合されてもよい。
【００２５】
電気活性素子１４は、例えば、基板でできた２つの透明支持体の間のエレクトロクロミックセルであってもよい。エレクトロクロミックセルは、酸化電位を有し、少なくとも２つの透明電極を用いる透明支持体間の電界の印加時に１つの光学特性変化を受ける少なくとも１つのエレクトロクロミック色素化合物を備える。例えば、色素は酸化状態において無色であり、別の酸化状態において黄色、緑、青又は紫であってもよい。色素の酸化状態は、電極間及びエレクトロクロミック色素化合物に電界、言い換えれば、電圧を印加することによって制御されてもよい。
【００２６】
電気活性素子１４は液晶セルであってもよい。液晶セルは、例えば、基板でできた２つの透明支持体間に少なくとも１つの液晶性物質を備えている。少なくとも１つの透明支持体、例えば、両方の透明支持体は、少なくとも１つの透明電極を備える。液晶セルは、電極間及び液晶性物質に印加される電界、言い換えれば、電圧の有無で液晶性物質の光学特性に基づいて光を変化させる。
【００２７】
電気活性素子１４は電気活性導波路であってもよい。導波路は、中空又は基板で充填される間隙を備える２つの対向する透明壁を備えている。２つの対向壁間の間隙の長さは、選択された波長の光が両方の対向壁で何回も反射することによって導波路を通って伝播してもよいように特定される。電気活性導波路は、単数又は複数の屈折率、位相、反射率（値、角度、波長、又はスペクトル曲線）、透過率、等の値のような調整可能な光学特性の１つ以上の領域を備えていてもよい。例えば、壁はそれぞれ透明電極を備えていてもよく、間隙は基板で充填され、透明電極の場合、アクティブ光導波路は、電極間及び基板に印加される電界、言い換えれば、電圧の有無で基板の屈折率に基づいて、光の伝搬を変化させる。間隙の長さも命令されてもよい。
【００２８】
電気活性素子１４は電気活性ホログラフィックミラーであってもよい。ホログラフィックミラーは、単数又は複数の屈折率、位相、反射率（値、角度、波長、又はスペクトル曲線）、透過率、等の値のような調整可能な光学特性の１つ以上の領域を備えていてもよい。ミネラルガラス要素８は、着用者の処方データに適合させてもよい屈折機能を有していてもよい。
【００２９】
図１〜４に示すように、光学レンズは、更に、ミネラルガラス要素８が破損した場合にミネラルガラス要素８の任意の破片が着用者の眼に到達することを防ぐよう構成される眼保護具１６を備える。眼保護具１６は、光学レンズ２の後面６に配置されるポリマーウェハ１８を備えている。図において、ポリマーウェハ１８は縦縞表面として表されている。
【００３０】
ポリマーウェハ１８は、前面２０及び後面２２を有している。光学レンズ２の後面６は、ポリマーウェハの後面２２の少なくとも一部を備える。
【００３１】
ポリマーウェハ１８は、光学レンズが衝撃を受けた場合にミネラルガラス要素８が少なくとも部分的に破損した場合、ミネラルガラス要素８の断片が外れることを防ぐ。
【００３２】
衝撃試験が実施されてもよい。衝撃試験は、いわゆる「鋼球落下試験」であってもよい。鋼球落下試験によれば、重さ約０．５６オンス（１５．８７５７３ｇ）の５／８インチ（１．５８７５ｃｍ）鋼球をレンズの凸状上面の上５０インチ（１２７ｃｍ）の高さから落下させる。球は、レンズの幾何学的中心に位置する直径５／８インチ（１．５８７５ｃｍ）の円内に当てなければならない。
【００３３】
球は、レンズの約４インチ（１０．１６ｃｍ）内に延在するチューブを通って落下されることによって、その落下を案内されるが制限されなくてもよい。鋼球落下試験に合格するには、光学レンズが破損してはならない。
【００３４】
光学レンズは、直径が２つ以上の個別の破片にもしあれば層状層を含むその全体の厚さを通して及び完全な直径を横断して亀裂が入るか、又は肉眼で確認できる任意のレンズ材料が、レンズが眼の前に位置決めされている場合に眼に対向するよう意図されるレンズの表面から外れた場合、破損していると見なされる。
【００３５】
有利に、発明による光学レンズ２は、ポリマーウェハ１８を備える眼保護具１６のため、ミネラルガラス要素８が破損した場合でも鋼球落下試験に合格する。
【００３６】
発明の実施形態によれば、ポリマーウェハ１８は、平均厚さ１０μｍ以上、好ましくは５０μｍ以上、より好ましくは７５μｍ以上、更により好ましくは３００μｍ以上、及び最も好ましくは７００μｍ以上、並びに２ｍｍ以下、好ましくは１．５ｍｍ以下、及びより好ましくは１ｍｍ以下を有していてもよい。発明者らは、平均厚さ３００μｍ以上のポリカーボネートポリマーウェハ１８が光学レンズ２の耐衝撃性を極めて良好に改善することを観察した。
【００３７】
更に、平均厚さ約８００μｍのポリマーウェハ１８は光学レンズ２の光学性能を更に改善する。実際、３００μｍウェハを用いる場合、製造中、特にコーティングプロセス中のウェハ変形により、一部の光学歪みが発生する可能性がある。
【００３８】
好ましい実施形態において、ポリマーウェハ１８の後面２２は、光学レンズの後面６に対応している。
【００３９】
ポリマーウェハ１８の前面２０は、ミネラルガラス要素８に接着されてもよく、例えば、ミネラルガラス要素８の後面１２に接着されてもよい。例えば、接着剤をミネラルガラス要素８の後面１２に広げてもよく、次いで、ポリマーウェハ１８を広げられた接着剤上に落下させてもよい。ミネラルガラス要素８の重量によって生じるポリマーウェハ１８の変形を回避するために、ポリマーウェハ１８は接着プロセス中にミネラルガラス要素１８上に置かれてもよい。
【００４０】
ポリマーウェハ１８は、液体接着剤又は感圧性接着剤（ＰＳＡ）によってミネラルガラス要素８に接着されてもよい。接着剤組成は、ミネラルガラス要素と接合されるよう、ポリマーウェハ１８の材料に基づいて選択されてもよい。フィルムから得られるウェハの場合、ＰＳＡが用いられるのが好ましい。
【００４１】
接着は、ポリマーウェハ１８の表面全体で又はポリマーウェハ１８の周囲のみで行われてもよい。この第２の場合、スペーサを液体接着剤に導入して、ポリマーウェハ１８の周囲全体にわたって均一な厚さの接着剤を保証してもよい。
【００４２】
プラズマ又はコロナ処理型の表面処理がミネラルガラス要素８に施されてもよい。有利に、ミネラルガラス要素８上及びポリマーウェハ１８上の接着剤の広がり、並びにミネラルガラス要素８とポリマーウェハ１８との間の接着が保証される。
【００４３】
接着プライマが、接着を促進するために接着プロセス中に用いられてもよい。
【００４４】
ポリマーウェハ１８は、ミネラルガラス要素８に接着される前にトリミング又は切断されてもよい。ポリマーウェハ１８がフィルムから得られた場合、ポリマーウェハ１８の切断はレーザーを用いて実行されてもよい。接着は、ポリマーウェハ１８及びミネラルガラス要素８が極めて長い間一体化したままであるため、及び、他の固定手段とは異なり、接着剤は透明であり、従って、着用者の視野を制限しないため、特に有利である。好ましくは、接着剤は、ポリマーウェハ１８の前面２０にわたって均一な厚さを有する層の形状をとってもよい。
【００４５】
代替として、ポリマーウェハ１８は、当業者に公知の任意の別の方法でミネラルガラス要素８に結合されてもよい。
【００４６】
ポリマーウェハ１８は少なくとも１つのベースウェハを備える。ポリマーウェハは、また、ベースウェハによって支持される１つ以上の機能層を備えていてもよい。
【００４７】
ベースウェハは、より厚いブランクから開始して、鋳造によって若しくは注入によって、又はサーフェシングによって得ることができる。ベースウェハは、また、フィルムからも得ることができる。このフィルムは、それ自体、様々な技術によって、例えば、押出し、次いで一軸又は二軸延伸によって得ることができる。このフィルムは、次いで、ウェハが接合されるミネラルガラスの曲率半径に適合する曲率半径をウェハに与えるために熱成形される。
【００４８】
ベースウェハは、また、浸漬コーティング、スピンコーティング、吹付コーティング、インクジェットコーティング、等のような当業者に公知の従来の溶着技術による層の溶着によって、及び必要に応じてその後の乾燥及び／又はＵＶ若しくは可視光照射下の重合ステップによって、又は熱処理によって、得ることができる。
【００４９】
最後に、ベースウェハは、積層造形技術によってミネラルガラス上に直接実現することができる。
【００５０】
ポリマーウェハ１８はミネラルガラス要素８上に積層されてもよい。積層方法は、ミネラルガラス要素８の特定の保持システムが用いられている間の積層ステップを含んでいてもよく、保持システムは、積層ステップ中のミネラルガラス要素８の周囲の損傷を回避するよう構成される。
【００５１】
非限定的な指示として、ベースウェハの材料は、光学用、特に眼科光学用の材料から選択されてもよい。材料は、例えば、ポリカーボネート、ポリアミド、ポリイミド、ポリスルホン、ポリエチレンテレフタレート及びポリカーボネートのコポリマー、ポリオレフィン、特にポリノルボルネン、ジエチレングリコールビス（アリルカーボネート）のポリマー及びコポリマー、（メタ）アクリルポリマー及びコポリマー、特にビスフェノールＡから誘導されたポリマー及び（メタ）アクリルコポリマー、チオ（メタ）アクリルポリマー及びコポリマー、ウレタン及びチオウレタンポリマー及びコポリマー、エポキシポリマー及びコポリマー、エピスルフィドポリマー及びコポリマー、セルロースポリマー及びコポリマー、特にセルローストリアセテート、ビニルポリマー及びコポリマー、特にポリ塩化ビニル、ウレタンポリマー及びコポリマー、特に熱可塑性ポリウレタン、並びにシロキサンポリマー及びコポリマー等の熱可塑性又は熱硬化性材料から選択されてもよい。
【００５２】
一実施形態によれば、ベースウェハがフィルムから得られた場合、このフィルムの材料は、非制限的な指示の目的で、ポリエチレンテレフタレート、ポリエチレンナフタレート、ポリカーボネート、ポリエーテルスルホン、ポリアリレート、ポリビニルアルコール、多環式オレフィン、ポリアミド、ポリウレタン、又はポリイミドから選択されてもよい。フィルムはまた、複数の重ね合わせた層、若しくは多層フィルム、又は複合フィルムを備える構造であってもよい。フィルムは、傷防止コーティング、反射防止コーティング、防汚コーティング、ＵＶ又はブルーカットコーティング等の１つ以上の機能的処理を備えていてもよい。フィルムは多層化された抗断片化フィルムであってもよい。フィルムは、構造化された反射防止、フレネルレンズ、マイクロレンズ、メタ表面、又はエンボスホログラム等のホログラフィックミラー等のその表面上の微細構造を備えていてもよい。
【００５３】
ポリマーウェハ１８は、非補正ウェハとも呼ばれるプラノウェハであってもよい。代替として、ポリマーウェハ１８は、球面屈折力、円柱屈折力、円柱軸、付加、二焦点若しくは三焦点、又はプログレッシブ面及び／又はプリズムを含んでいてもよい屈折機能を含んでいてもよい特定の光学特性を有していてもよい。
【００５４】
ポリマーウェハ１８の光学特性は、例えば、反射防止特性等の反射機能を含んでいてもよい。有利に、反射防止特性を有するポリマーウェハ１８は光のわずかな部分を反射し、従って、光の大きな部分は、代わりに、ポリマーウェハ１８及び光学レンズ２を通って透過される。反射機能は、ポリマーウェハ１８の前面２０及び後面２２で異なっていてもよい。特に、光学レンズ２が太陽光保護眼鏡に取り付けられることを意図している場合、ポリマーウェハ１８の前面２０は、着用者の眼に向かって光学レンズ２を通って透過する光の一部を低減するために高い反射率を有することが好ましい。また、ポリマーウェハ１８の後面２２は、着用者の眼に向かう環境光を反射することを回避するために低い反射率を有することも好ましい。
【００５５】
ポリマーウェハ１８の光学特性は、例えば、ブルーカット及び／又はＵＶ保護の光吸収機能を含んでいてもよい。ブルーライトは眩しさ及び眼の疲れを引き起こすことが知られている。光吸収機能は、着用者の眼を保護するために、ブルーライト及び紫外線の大部分を吸収してもよい。
【００５６】
ポリマーウェハ１８の光学特性は特定の色を含んでいてもよい。ポリマーウェハ１８は着色されていてもよい。色は、着用者の好みに基づいて選択されてもよい。
【００５７】
ポリマーウェハ１８の光学特性は偏光機能を含んでいてもよい。ポリマーウェハ１８は、特定の偏光方向を有する光のみを透過させてもよい。
【００５８】
ポリマーウェハ１８の光学特性はフォトクロミック特性を含んでいてもよい。ポリマーウェハ１８は、ブルーライト又は紫外線等の十分な強度の特定種類の光への曝露時に暗くなってもよい。
【００５９】
ポリマーウェハ１８は、傷防止、帯電防止機能、防汚機能、防曇機能、及び／又は光学レンズ縁部保護機能を含んでいてもよい他の特性を有していてもよい。光学レンズ縁部保護機能は、衝撃、衝突、又は摩耗に対する光学レンズ２の保護を含んでいてもよい。光学レンズ縁部保護機能は、水分、溶剤、酸素、等のような外部環境に対して光学レンズ２の縁部を密封することを含んでいてもよい。かかる保護は、特に、電気活性素子１４が光学レンズ２の縁部まで延在する実施形態において有用である。
【００６０】
図３に示すように、ポリマーウェハ１８は、光学レンズ２の縁部を保護するために、光学レンズ２の縁部の上に延在してもよい。特に、ポリマーウェハ１８は、ミネラルガラス要素８の縁部の上に延在して、ミネラルガラス要素８と眼鏡フレームの眼鏡フレーム要素との間に圧縮可能な緩衝領域を形成してもよい。特定の中間シールが、光学レンズ２の縁部と前記縁部の上に延在するポリマーウェハ１８の一部との間に挿入されてもよい。
【００６１】
ポリマーウェハ１８の上記の光学特性又は他の特性は、ベースウェハの特性、又はもしあれば機能層の特性、又はベースウェハと機能層との組み合わせの特性であってもよい。
【００６２】
ポリマーウェハの縁部は、図４に示すように、眼鏡フレームに光学レンズを取り付けることができるように適合されるベベル２４を備えていてもよい。ベベルは、外向き隆起及び／又は内向きキャビティを備えていてもよい。
【００６３】
一実施形態において、光学レンズ２は、光学レンズ２の前面に少なくとも配置される第２のポリマーウェハ２６を備えていてもよい。第２のポリマーウェハ２６は、少なくとも後面１２に配置されたポリマーウェハ１８について説明した特徴のいずれかを有していてもよい。第２のポリマーウェハ２６は、少なくとも後面１２に配置されたポリマーウェハ１８とは異なる機能層を有していてもよい。
【００６４】
ミネラルガラス要素８、接着剤、ポリマーウェハ１８、及び第２のポリマーウェハ２６を構成する材料の屈折率は、界面での反射光損失を回避するために、互いに可能な限り近いことが好ましい。代替として、材料が極めて異なる屈折率を有している場合、界面の寸法形状が正確に特定されなければならない。特に、補償されていないジオプトリを生成することを回避するために、ミネラルガラス要素８、接着剤、ポリマーウェハ１８、及び第２のポリマーウェハ２６の幅を制御する必要がある。その上、補償が困難な光学的変形を生じる可能性のある表面の不規則性を回避することが重要である。
【００６５】
発明は、また、図５に示すような、眼鏡フレームに取り付けられた発明による一対の光学レンズ２を備える光学機器２８にも関する。
【００６６】
発明は包括的発明概念の制限なく実施形態を用いて上で説明してきた。
【００６７】
多くの更なる改良及び変形は、ほんの一例として与えられ、且つ、発明の適用範囲を制限する意図はなく、添付特許請求の範囲によってのみ決定される前述の例示的な実施形態に言及する際にそれら自体を当業者に連想させる。
【００６８】
特許請求の範囲において、単語「備える」は他の構成要素又はステップを除外せず、不定冠詞「１つの（ａ）」又は「１つの（ａｎ）」は複数を除外しない。異なる特徴が互いに異なる従属クレームにおいて説明されるという単なる事実は、これらの特徴の組み合わせを有利に用いることができないことを示すものではない。特許請求の範囲内のいかなる参照符号も発明の適用範囲を制限するものとして解釈すべきではない。
【図１】
2021500607.tif 000003
【図２】
2021500607.tif 000004
【図３】
2021500607.tif 000005
【図４】
2021500607.tif 000006
【図５】
2021500607.tif 000007
【国際調査報告】
2021500607.tif 000008
2021500607.tif 000009
2021500607.tif 000010
2021500607.tif 000011